(57)【要約】【課題】被包装体を良好に保護できること。【解決手段】上層体２０と下層体２１に囲まれて被包装体１を収納可能な収納空間１３が形成されると共に上層体及び下層体により、収納空間に連通して当該収納空間に被包装体を出入可能な出入開口１４が形成された本体１１と、下層体に接続して設けられ、出入開口を閉塞可能な蓋体１２とを有する包装体１０において、上層体、下層体及び蓋体の袋部１９に空気が封入可能とされると共に、蓋体が、本体の出入開口内に挿入可能に構成されたものである。【選択図】　　図１
2004142796.tif 000002
【特許請求の範囲】
【請求項１】
上層体と下層体に囲まれて被包装体を収納可能な収納空間が形成されるとともに、上記上層体及び上記下層体により、上記収納空間に連通して当該収納空間に上記被包装体を出入可能な出入開口が形成された本体と、
上記上層体と上記下層体の少なくとも一方に接続して設けられ、上記出入開口を閉塞可能な蓋体とを有する包装体において、
上記上層体、上記下層体及び上記蓋体に気体が封入可能に設けられると共に、上記蓋体が、上記本体の出入開口内に挿入可能に構成されたことを特徴とする包装体。
【請求項２】
接合された上層体と下層体に囲まれて被包装体を収納可能な収納空間が形成されるとともに、上記上層体及び上記下層体により、上記収納空間に連通して当該収納空間に上記被包装体を出入可能な出入開口が形成された本体と、
上記上層体と上記下層体の少なくとも一方に接続して設けられ、上記出入開口を閉塞可能な蓋体とを有する包装体において、
上記上層体、上記下層体及び上記蓋体に気体が封入可能に設けられると共に、上記蓋体が、上記上層体と上記下層体との接合箇所に接合されて上記出入開口内に配設されたことを特徴とする包装体。
【請求項３】
上記本体の上層体及び下層体が、それぞれの対向する両側で互いに接合されたことを特徴とする請求項１または２に記載の包装体。
【請求項４】
上記本体及び上記蓋体が、気体の封入に関し連通して構成されたことを特徴とする請求項１乃至３のいずれかに記載の包装体。
【請求項５】
上記蓋体、上記本体へ気体を封入する封入部が、上記本体に設けられたことを特徴とする請求項４に記載の包装体。
【請求項６】
上層体と下層体に囲まれて被包装体を収納可能な収納空間が形成されるとともに、上記上層体及び上記下層体により、上記収納空間に連通して当該収納空間に上記被包装体を出入可能な出入開口が形成された本体と、
上記上層体と上記下層体の少なくとも一方に接続して設けられ、上記出入開口を閉塞可能な蓋体とを有する包装体による被包装体の包装方法において、
上記上層体、上記下層体及び上記蓋体に気体を封入した状態で、上記本体の上記出入開口を通して上記被包装体を上記収納空間に収納し、その後、上記蓋体を上記出入開口内に挿入することを特徴とする被包装体の包装方法。
【請求項７】
上層体と下層体に囲まれて被包装体を収納可能な収納空間が形成されるとともに、上記上層体及び上記下層体により、上記収納空間に連通して当該収納空間に上記被包装体を出入可能な出入開口が形成された本体と、
上記上層体と上記下層体の少なくとも一方に接続して設けられ、上記出入開口を閉塞可能な蓋体とを有する包装体による被包装体の包装方法において、
上記本体の上記出入開口を通して上記被包装体を上記収納空間に収納し、次に、上記蓋体を上記出入開口内に挿入し、その後、上記上層体、上記下層体及び上記蓋体に気体を封入することを特徴とする被包装体の包装方法。
【発明の詳細な説明】
【０００１】
【発明の属する技術分野】
本発明は、被包装体を包装する包装体、及びこの包装体を用いた被包装体の包装方法に関する。
【０００２】
【従来の技術】
被包装体を包装する包装体には、被包装体を収納可能な収納空間が形成されると共に、この収納空間に連通し当該収納空間に被包装体を出入可能な出入開口が形成された本体と、この本体に設けられて上記出入開口を閉塞する蓋体と、を有するものが知られている。
このうち、例えば引用文献１に記載の如く、本体に空気を封入可能として、空気の圧力により収納空間内に収納された被包装体を挟持するようにした包装体が知られている。
【０００３】
【特許文献１】
登録実用新案第３０５２６５７号公報
【０００４】
【発明が解決しようとする課題】
ところが、上述のような両包装体では、蓋体に空気が封入されていないため、蓋体による衝撃緩衝作用が得られない等の不具合があり、収納された被包装体を良好に保護できない恐れがある。
本発明の目的は、上述の事情を考慮してなされたものであり、被包装体を良好に保護できる包装体及び被包装体の包装方法を提供することにある。
【０００５】
【課題を解決するための手段】
請求項１に記載の発明は、上層体と下層体に囲まれて被包装体を収納可能な収納空間が形成されるとともに、上記上層体及び上記下層体により、上記収納空間に連通して当該収納空間に上記被包装体を出入可能な出入開口が形成された本体と、上記上層体と下層体の少なくとも一方に接続して設けられ、上記出入開口を閉塞可能な蓋体とを有する包装体において、上記上層体、上記下層体及び上記蓋体に気体が封入可能に設けられると共に、上記蓋体が、上記本体の出入開口内に挿入可能に構成されたことを特徴とするものである。
請求項２に記載の発明は、接合された上層体と下層体に囲まれて被包装体を収納可能な収納空間が形成されるとともに、上記上層体及び上記下層体により、上記収納空間に連通して当該収納空間に上記被包装体を出入可能な出入開口が形成された本体と、上記上層体と上記下層体の少なくとも一方に接続して設けられ、上記出入開口を閉塞可能な蓋体とを有する包装体において、上記上層体、上記下層体及び上記蓋体に気体が封入可能に設けられると共に、上記蓋体が、上記上層体と上記下層体との接合箇所に接合されて上記出入開口内に配設されたことを特徴とするものである。
請求項３に記載の発明は、請求項１または２に記載の発明において、上記本体の上層体及び下層体が、それぞれの対向する両側で互いに接合されたことを特徴とするものである。
請求項４に記載の発明は、請求項１乃至３のいずれかに記載の発明において、上記本体及び上記蓋体が、気体の封入に関し連通して構成されたことを特徴とするものである。
請求項５に記載の発明は、請求項４に記載の発明において、上記蓋体、上記本体へ気体を封入する封入部が、上記本体に設けられたことを特徴とするものである。
請求項６に記載の発明は、上層体と下層体に囲まれて被包装体を収納可能な収納空間が形成されるとともに、上記上層体及び上記下層体により、上記収納空間に連通して当該収納空間に上記被包装体を出入可能な出入開口が形成された本体と、上記上層体と下層体の少なくとも一方に接続して設けられ、上記出入開口を閉塞可能な蓋体とを有する包装体による被包装体の包装方法において、上記上層体、上記下層体及び上記蓋体に気体を封入した状態で、上記本体の上記出入開口を通して上記被包装体を上記収納空間に収納し、その後、上記蓋体を上記出入開口内に挿入することを特徴とするものである。
請求項７に記載の発明は、上層体と下層体に囲まれて被包装体を収納可能な収納空間が形成されるとともに、上記上層体及び上記下層体により、上記収納空間に連通して当該収納空間に上記被包装体を出入可能な出入開口が形成された本体と、上記上層体と下層体の少なくとも一方に接続して設けられ、上記出入開口を閉塞可能な蓋体とを有する包装体による被包装体の包装方法において、上記本体の上記出入開口を通して上記被包装体を上記収納空間に収納し、次に、上記蓋体を上記出入開口内に挿入し、その後、上記上層体、上記下層体及び上記蓋体に気体を封入することを特徴とするものである。
【０００６】
【発明の実施の形態】
以下、本発明の実施の形態を、図面に基づき説明する。
［Ａ］第１の実施の形態（図１〜図６）
図１は、本発明に係る包装体における第１の実施の形態を示す斜視図である。図２は、図１のＩＩ‐ＩＩ線に沿う断面図である。図３は、図１のＩＩＩ‐ＩＩＩ線に沿う断面図である。
【０００７】
これらの図１〜図３に示す包装体１０は、本体１１の収納空間１３に被包装体１を収納し、蓋体１２が本体１１の出入開口１４を閉塞するものである。そして、この包装体１０は、本体１１及び蓋体１２に封入された気体としての空気の圧力の作用で、収納空間１３内での被包装体１の移動を阻止して挟持し、且つ被包装体１を包装体１０外からの衝撃に対し緩衝する。
ここで、上記被包装体１は、ＣＤやＤＶＤ等の情報記録媒体、電子機器の部品、瓶などである。
【０００８】
上記包装体１０を構成する本体１１及び蓋体１２は、図４に示す手順によって製作される。つまり、長方形状又は正方形状の表面シート１５と、この表面シート１５と同一形状の裏面シート１６を用意する。これらの表面シート１５及び裏面シート１６は、柔軟な気密性の高い合成樹脂フィルムである。これらの表面シート１５と裏面シート１６のそれぞれの外周縁部をヒートシールなどにより熱接合して、図４の縦、横に縦外縁接合部１７Ａ、横外縁接合部１７Ｂをそれぞれ形成し、この横外縁接合部１７Ｂに並行してヒートシールなどにより、表面シート１５及び裏面シート１６を熱接合して横接合部１８を形成する。これらの縦外縁接合部１７Ａ、横外縁接合部１７Ｂ及び横接合部１８に囲まれて、表面シート１５及び裏面シート１６に多数の袋部１９が形成される。その後、このように熱接合された表面シート１５及び裏面シート１６を例えば表面シート１５側に折り重ね、縦外縁接合部１７Ａを一部を残して一致させて上述と同様に熱接合し、図５に示すように、本体１１及び蓋体１２からなる包装体１０を製作する。
【０００９】
上述のように折り重ねられて熱接合された表面シート１５及び裏面シート１６の一方（上側部分）によって、本体１１の上層体２０が、他方（下側部分）によって本体１１の下層体２１がそれぞれ構成され、この下層体２１に蓋体１２が一体に接続して構成される。
【００１０】
前述のように、折り重ねられた表面シート１５及び裏面シート１６のそれぞれの縦外縁接合部１７Ａが熱接合されることで、上層体２０及び下層体２１は、それぞれの対向する両側が接合されることになり、この接合部２２（上層体２０及び下層体２１における対向する両側の接合部）と、表面シート１５及び裏面シート１６の折り曲げ線部２３とにより、被包装体１を収納可能な前記収納空間１３を構成する。更に、上層体２０における横外縁接合部１７Ｂと、下層体２１における蓋体１２との境界線部２４とによって、前記出入開口１４が形成される。この出入開口１４は収納空間１３に連通されて、この収納空間１３に被包装体１を出入可能とする。なお、本体１１には、上層体２０及び下層体２１が接合部２２にて接合されることで襠が存在しないことになる。
【００１１】
上記蓋体１２は、本体１１の出入開口１４を閉塞可能とするものであるが、この蓋体１２に封入部としての給排気口２５が設けられる。ところで、図４に示すように、本体１１及び蓋体１２を構成する熱接合された表面シート１５及び裏面シート１６では、縦外縁接合部１７Ａ及び横外縁接合部１７Ｂは連続して形成されるが、横接合部１８は連続せず、間隔をおいて形成される。このため、表面シート１５及び裏面シート１６の多数の袋部１９、つまり図５における本体１１の上層体２０及び下層体２１、並びに蓋体１２の多数の袋部１９は、横接合部１８の上記間隔により形成された通気部２６によって連通されることになる。従って、本体１１の上層体２０及び下層体２１と蓋体１２とは、袋部１９への空気の封入に関して連通する。
【００１２】
上記蓋体１２に設けられた給排気口２５は、蓋体１２における袋部１９内に逆止弁２７を備える。この逆止弁２７によって、蓋体１２の袋部１９内に封入された空気が外部へ流出しないように構成される。また、給排気口２５から逆止弁２７を経て空気が供給されることにより、図６に示すように、蓋体１２の袋部１９、並びに本体１１の上層体２０及び下層体２１の全ての袋部１９に、通気部２６を経て空気が封入可能とされる。
【００１３】
本体１１の上層体２０及び下層体２１における袋部１９に空気が封入されることによって、これらの袋部１９が収納空間１３側に膨出し、この収納空間１３内に収納された被包装体１は、図３に示すように、上層体２０及び下層体２１のそれぞれの袋部１９内における空気の圧力（空気圧）により挟持されて、その移動が阻止される。更に、収納空間１３内の被包装体１は、上層体２０及び下層体２１のそれぞれの袋部１９内の空気圧によって、包装体１０外の衝撃に対し緩衝される。
【００１４】
また、上記蓋体１２は、本体１１及び蓋体１２の袋部１９に空気が封入された状態で、又はこれらの本体１２及び蓋体１２の袋部１９に空気が封入される前に、図１及び図２に示すように、本体１１における下層体２１との境界線部２４を境に折り曲げられて、本体１１の出入開口１４内に挿入可能とされる。このように出入開口１４内に挿入して配設された蓋体１２は、その袋部１９に空気が封入されることによって、本体１１の出入開口１４における大部分を閉塞することが可能となる。
【００１５】
次に、上述のように構成された包装体１０による被包装体１の包装方法を説明する。
まず、図５及び図６に示すように、蓋体１２の給排気口２５から空気を供給して、本体１１の上層体２０及び下層体２１における袋部１９、並びに蓋体１２の袋部１９内へ空気を封入する。
【００１６】
このように本体１１及び蓋体１２の袋部１９に空気が封入された状態で、本体１１の出入開口１４を通して被包装体１を収納空間１３内へ収納する。
その後、図１及び図２に示すように、その袋部１９に空気が封入された蓋体１２を、境界線部２４を境に折り曲げて本体１１の出入開口１４内に挿入し、この出入開口１４内に配設して当該出入開口１４を閉塞する。
【００１７】
以上のように構成されたことから、上記実施の形態によれば、次の効果▲１▼〜▲３▼を奏する。
▲１▼その袋部１９に空気が封入された蓋体１２が本体１１の出入開口１４を閉塞することから、本体１１における上層体２０及び下層体２１の袋部１９内の空気圧では収納空間１３内の被包装体１の挟持が不十分な場合に、出入開口１４内の蓋体１２が、移動した被包装体１に当接してこの被包装体１の移動を阻止できる。このため、被包装体１が包装体１０から落脱することを防止でき、被包装体１を良好に保護できる。
【００１８】
▲２▼その袋部１９に空気が封入された蓋体１２が本体１１の出入開口１４を閉塞することから、収納空間１３内に被包装体１が収納された状態で、蓋体１２を下方に向けて包装体１０が落下した場合、本体１１の収納空間１３内で被包装体１が蓋体１２方向に移動しても、この被包装体１が床や地面などから受ける衝撃は、蓋体１２における袋部１９の空気圧によって緩衝される。従って、この場合も、本体１１の収納空間１３内に収納された被包装体１を良好に保護できる。
【００１９】
▲３▼蓋体１２が本体１１の出入開口１４内に挿入されることでこの出入開口１４を閉塞することから、出入開口１４を閉塞するために蓋体１２を本体１１に止着する両面テープや面状ファスナなどの止着手段が必要ない。
【００２０】
［Ｂ］第２の実施の形態（図７及び図８）
図７は、本発明に係る包装体における第２の実施の形態を示す斜視図である。この第２の実施の形態において、前記第１の実施の形態と同様な部分は、同一の符号を付すことにより説明を省略する。
【００２１】
この第２の実施の形態における包装体３０では、給排気口２５が本体１１における上層体２０又は下層体２１に設けられ、その逆止弁２７が上層体２０又は下層体２１を構成する一つの袋部１９内に配設される。
【００２２】
この包装体３０において被包装体１を包装する方法は、図８（Ａ）に示すように、本体１１及び蓋体１２の袋部１９内へ空気を封入しない状態で、まず、本体１１の出入開口１４を通して収納空間１３内へ被包装体１を収納する。
【００２３】
次に、蓋体１２を、本体１１の下層体２１に対し、その境界線部２４を境に折り曲げて出入開口１４内に挿入し配設する。尚、この蓋体１２の出入開口１４内への挿入作業は、本体１１の収納空間１３内に被包装体１を収納する前であってもよい。
【００２４】
収納空間１３内に被包装体１を収納し、出入開口１４に蓋体１２を挿入して配設した状態で、図８（Ｂ）に示すように、本体１１の給排気口２５から空気を供給し、本体１１の上層体２０及び下層体２１における袋部１９内、並びに蓋体１２の袋部１９内へ空気を封入して、上層体２０及び下層体２１の袋部１９内における空気圧により収納空間１３内の被包装体１を挟持する。
【００２５】
以上のように構成されたことから、この包装体３０によっても、前記包装体１０の効果▲１▼〜▲３▼と同様な効果を奏するほか、次の効果▲４▼を奏する。
▲４▼給排気口２５が本体１１の上層体２０又は下層体２１に設けられ、蓋体１２に設けられないことから、蓋体１２を出入開口１４に挿入した後でも、本体１１及び蓋体１２の袋部１９内へ空気を封入できる。しかも、蓋体１２を本体１１の出入開口１４へ挿入する際に給排気口２５が邪魔にならず、この挿入作業を容易に実施できるばかりか、蓋体１２により出入開口１４を確実に閉塞できる。
【００２６】
［Ｃ］第３の実施の形態（図９、図１０）
図９は、本発明に係る包装体における第３の実施の形態を示す斜視図である。この第３の実施の形態において、前記第１及び第２の実施の形態と同様な部分は、同一の符号を付すことにより説明を省略する。
【００２７】
この第３の実施の形態における包装体４０は、蓋体１２が、本体１１における下層体２１との境界線部２４において予め内側に折り曲げられ、この蓋体１２の両端部４１が、上層体２０と下層体２１との接合部２２に、ヒートシールなどによって一体に熱接合されたものである。従って、この蓋体１２は、図１０（Ａ）にも示すように、本体１１の出入開口１４内に常に配設されている。
【００２８】
このように蓋体１２の両端部４１が上層体２０及び下層体２１の接合部２２に接合された状態でも、この蓋体１２の袋部１９は、通気部２６を通して、空気の封入に関し下層体２１の袋部１９と連通されている。また、この第３の実施の形態において、給排気口２５は、本体１１の上層体２０又は下層体２１に設けられ、その逆止弁２７が上層体２０又は下層体２１を構成する一つの袋部１９内に配設されている。
【００２９】
この包装体４０を用いた被包装体１の包装方法は、図１０（Ａ）に示すように、本体１１及び蓋体１２の袋部１９内へ空気を封入しない状態で、まず本体１１の出入開口１４を通して収納空間１３内へ被包装体１を収納する。
次に、本体１１の給排気口２５から空気を供給して、図１０（Ｂ）に示すように、本体１１の上層体２０及び下層体２１における袋部１９、並びに蓋体１２の袋部１９へ空気を封入し、上層体２０及び下層体２１の袋部１９内における空気圧によって、収納空間１３内の被包装体１を挟持する。
【００３０】
この包装体４０によっても、前記包装体２０及び三重の効果▲１▼〜▲４▼と同様な効果を奏するほか、次の効果▲５▼を奏する。
▲５▼蓋体１２が本体１１の出入開口１４内に予め配設されていることから、被包装体１を本体１１の収納空間１３内へ収納する前後で、蓋体１２を出入開口１４内へ挿入する作業が不要となり、被包装体１の包装作業を迅速化できる。
【００３１】
［Ｄ］第４の実施の形態（図１１、図１２）
図１１は、本発明に係る包装体における第４の実施の形態を示し、（Ａ）が表面図、（Ｂ）が裏面図である。この第４の実施の形態において、前記第１〜第３の各実施の形態と同様な部分は、同一の符号を付すことにより説明を省略する。
【００３２】
この第４の実施の形態における包装体５０は、図１１（Ｂ）に示す蓋体１２が、本体１１における下層体２１との境界線部２４において予め内側に折り曲げられと共に、図１１（Ａ）に示す蓋体５１が、本体１１における上層体２０との境界線部５２において予め内側に折り曲げられ、これらの蓋体１２の両端部４１と蓋体５１の両端部５３とが重ね合わされて、上層体２０と下層体２１との接合部２２に、ヒートシールなどにより一体に熱接合されたものである。従って、これらの蓋体１２及び５１も、図１２（Ａ）に示すように、本体１１の出入開口１４内に常に配設されたものとなっている。
【００３３】
この包装体５０においても、蓋体１２（図１１（Ｂ））の袋部１９は通気部２６を経て、空気の封入に関し下層体２１の袋部１９と連通され、また、蓋体５１（図１１（Ａ））の袋部１９は通気部２６を経て、空気の封入に関し上層体２０の袋部１９と連通されている。
【００３４】
この包装体５０を用いた被包装体１の包装方法は、図１２（Ａ）に示すように、本体１１及び蓋体１２の袋部１９内へ空気を封入しない状態で、まず本体１１の出入開口１４を通して収納空間１３内へ被包装体１を収納する。
次に、本体１１の給排気口２５から空気を供給して、図１２（Ｂ）に示すように、本体１１の上層体２０及び下層体２１における袋部１９、並びに蓋体１２及び５１の袋部１９へ空気を封入し、上層体２０及び下層体２１の袋部１９内における空気圧によって、収納空間１３内の被包装体１を挟持する。
【００３５】
この包装体５０によっても、前記包装体１０、３０及び４０の効果▲１▼〜▲５▼と同様な効果を奏する他、次の効果▲６▼を奏する。
▲６▼蓋体１２と蓋体５１とが本体１１の出入開口１４内に積層して配設されたことから、包装体５０における上層体２０、下層体２１、蓋体１２及び５１の各袋部１９へ空気を封入した状態で、蓋体１２と蓋体５１とを密着させることができる。この結果、これらの蓋体１２及び５１により本体１１の出入開口１４を確実に閉塞でき、収納空間１３内から被包装体１が落脱することを確実に防止できる。
【００３６】
以上、本発明を実施の形態に基づいて説明したが、本発明はこれに限定されるものではない。
例えば、前記第１及び第２実施の形態では、蓋体１２は、本体１１の下層体２１に一体に接続されたものを述べたが、本体１１の上層体２０に一体に接続されてもよく、これら上層体２０及び下層体２１の両者に一体に接続されてもよい。また、第１実施の形態において、給排気口２５は本体１１と蓋体１２のそれぞれに設けてもよい。
【００３７】
【発明の効果】
請求項１乃至５に記載の発明に係る包装体によれば、被包装体を良好に保護できる。
請求項６及び７に記載の発明に係る被包装体の包装方法によれば、被包装体を良好に保護できる。
【図面の簡単な説明】
【図１】本発明に係る包装体における第１の実施の形態を示す斜視図である。
【図２】図１のＩＩ‐ＩＩ線に沿う断面図である。
【図３】図１のＩＩＩ‐ＩＩＩ線に沿う断面図である。
【図４】図１の包装体の製造過程を示す展開平面図である。
【図５】空気が封入されていない図１の包装体を示す斜視図である。
【図６】空気が封入された図１の包装体を示す斜視図である。
【図７】本発明に係る包装体における第２の実施の形態を示す斜視図である。
【図８】図７の包装体による被包装体の包装方法を示す断面図である。
【図９】本発明に係る包装体における第３の実施の形態を示す斜視図である。
【図１０】（Ａ）が図９のＸ―Ｘ線に沿う断面図であり、（Ｂ）が被包装体を包装した図９の包装体を示す断面図である。
【図１１】本発明に係る包装体における第４の実施の形態を示し、（Ａ）が表面図、（Ｂ）が裏面図である。
【図１２】（Ａ）が図１１（Ａ）のＸＩＩ―ＸＩＩ線に沿う断面図であり、（Ｂ）が被包装体を包装した図１１の包装体を示す断面図である。
【符号の説明】
１　被包装体
１０　包装体
１１　本体
１２　蓋体
１３　収納空間
１４　出入開口
１９　袋部
２０　上層体
２１　下層体
２２　接合部
２５　給排気口（封入部）
２６　通気部
３０　包装体
４０　包装体
４１　端部
５０　包装体
５１　蓋体
５３　端部
【図１】
2004142796.tif 000003
【図２】
2004142796.tif 000004
【図３】
2004142796.tif 000005
【図４】
2004142796.tif 000006
【図５】
2004142796.tif 000007
【図６】
2004142796.tif 000008
【図７】
2004142796.tif 000009
【図８】
2004142796.tif 000010
【図９】
2004142796.tif 000011
【図１０】
2004142796.tif 000012
【図１１】
2004142796.tif 000013
【図１２】
2004142796.tif 000014